【手続補正書】
【提出日】平成19年3月15日(2007.3.15)
【手続補正１】
【補正対象書類名】特許請求の範囲
【補正対象項目名】全文
【補正方法】変更
【補正の内容】
【特許請求の範囲】
【請求項１】
部門別に使用量を計数する機能を備えた画像処理装置において、
第１の不揮発メモリと、
前記第１の不揮発メモリよりアクセス速度の速い第２の不揮発メモリと、
部門別の使用量情報を前記第１の不揮発メモリに格納するとともに、前記使用量情報の一部を前記第２の不揮発メモリに格納する使用量管理手段と
を有することを特徴とする画像処理装置。
【請求項２】
部門別に使用量を計数する機能を備えた画像処理装置において、
部門別の使用量情報を格納する第１の不揮発メモリと、
前記第１の不揮発メモリよりアクセス速度の速い第２の不揮発メモリと、
前記第２の不揮発メモリは前記使用量情報の一部を格納し、
当該画像処理装置がジョブを実行しているときは前記第２の不揮発メモリ上で使用量情報を更新し、前記第２の不揮発メモリに格納してある使用量情報を前記第１の不揮発メモリに書き込む処理を当該画像処理装置がジョブを実行していないときに行なう使用量管理手段と
を有することを特徴とする画像処理装置。
【請求項３】
前記使用量管理手段は、ジョブ実行中に更新する前記使用量情報を前記第１の不揮発メモリから前記第２の不揮発メモリにコピーする処理を当該画像処理装置がジョブを実行していないときに行なう
ことを特徴とする請求項２に記載の画像処理装置。
【請求項４】
部門別に使用量を計数する機能を備えた画像処理装置において、
部門別の使用量情報を格納する第１の不揮発メモリと、
前記第１の不揮発メモリよりアクセス速度の速い第２の不揮発メモリと、
前記第２の不揮発メモリは前記使用量情報の一部を格納し、
当該画像処理装置がジョブを実行しているときは前記第２の不揮発メモリ上で使用量情報を更新し、ジョブ実行中に更新する使用量情報を前記第１の不揮発メモリから前記第２の不揮発メモリにコピーする処理を当該画像処理装置がジョブを実行していないときに行なう使用量管理手段と
を有することを特徴とする画像処理装置。
【請求項５】
前記使用量管理手段が行う前記処理は、当該画像処理装置のジョブの実行に先立って行われる
ことを特徴とする請求項２ないし４のいずれか一項に記載の画像処理装置。
【請求項６】
前記使用量管理手段は、いずれかの部門の使用量情報にアクセスするとき、第２の不揮発メモリ上に該当する部門の使用量情報が存在するか否かを検査し、存在すれば該使用量情報を使用し、存在しないときは第１の不揮発メモリから該当する部門の使用量情報を第２の不揮発メモリにコピーして使用することを特徴とする請求項１ないし５のいずれか一項に記載の画像処理装置。
【請求項７】
前記使用量管理手段は、該当する部門の使用量情報を前記第１の不揮発メモリからコピーするための空き領域が前記第２の不揮発メモリに存在しないときは、前記第２の不揮発メモリに格納されているものの中から予め定めた優先順位に従って一部の部門の使用量情報を選出してこれらを前記第１の不揮発メモリに書き込み、この書き込み処理で前記第１の不揮発メモリに格納した使用量情報が格納されていた前記第２の不揮発メモリ上の領域を使用可能領域にし、該当する部門の使用量情報を前記第１の不揮発メモリからこの使用可能領域にコピーして使用する
ことを特徴とする請求項６に記載の画像処理装置。
【請求項８】
前記使用量管理手段は、前記第１の不揮発メモリに書き込むべき使用量情報を更新日時の古い順に選出することを特徴とする請求項７に記載の画像処理装置。
【手続補正２】
【補正対象書類名】明細書
【補正対象項目名】００１０
【補正方法】変更
【補正の内容】
【００１０】
請求項１に係わる発明は、部門別に使用量を計数する機能を備えた画像処理装置において、
第１の不揮発メモリ（２１）と、
前記第１の不揮発メモリ（２１）よりアクセス速度の速い第２の不揮発メモリ（２３）と、
部門別の使用量情報を前記第１の不揮発メモリ（２１）に格納するとともに、前記使用量情報の一部を前記第２の不揮発メモリ（２３）に格納する使用量管理手段（１１、３１）と
を有する
ことを特徴とする画像処理装置である。
【手続補正３】
【補正対象書類名】明細書
【補正対象項目名】００１１
【補正方法】変更
【補正の内容】
【００１１】
上記発明によれば、第１の不揮発メモリ（２１）には、たとえば、全部門の使用量情報が格納され、第２の不揮発メモリ（２３）には一部の部門の使用量情報のみが格納される。たとえば、当該画像処理装置を最近使用した数部門分の使用量情報を第２の不揮発メモリ（２３）に格納すれば、次にこの画像処理装置を使用する部門の使用量情報が第２の不揮発メモリ（２３）に格納されている可能性が高く、第１の不揮発メモリ（２１）にアクセスすることなく使用量情報を更新できる場合が増加する。
【手続補正４】
【補正対象書類名】明細書
【補正対象項目名】００１３
【補正方法】変更
【補正の内容】
【００１３】
第１の不揮発メモリ（２１）は、第２の不揮発メモリ（２３）より、アクセス速度の遅いメモリである。たとえば、第１の不揮発メモリ（２１）にはハードディスク装置や光磁気ディスク装置、フラッシュＲＯＭなどを用いることができる。アクセス速度は遅くてかまわないので、単位記憶容量あたりのコストの安価なものがよい。
【手続補正５】
【補正対象書類名】明細書
【補正対象項目名】００１６
【補正方法】変更
【補正の内容】
【００１６】
請求項２に係わる発明は、部門別に使用量を計数する機能を備えた画像処理装置において、
部門別の使用量情報を格納する第１の不揮発メモリ（２１）と、
前記第１の不揮発メモリ（２１）よりアクセス速度の速い第２の不揮発メモリ（２３）と、
前記第２の不揮発メモリは前記使用量情報の一部を格納し、
当該画像処理装置がジョブを実行しているときは前記第２の不揮発メモリ（２３）上で使用量情報を更新し、第２の不揮発メモリ（２３）に格納してある使用量情報を第１の不揮発メモリ（２１）に書き込む処理を当該画像処理装置がジョブを実行していないときに行なう使用量管理手段（１１、３１）と
を有する
ことを特徴とする画像処理装置である。
請求項３に係わる発明は、前記使用量管理手段は、ジョブ実行中に更新する前記使用量情報を前記第１の不揮発メモリから前記第２の不揮発メモリにコピーする処理を当該画像処理装置がジョブを実行していないときに行なう
ことを特徴とする請求項２に記載の画像処理装置である。
請求項４に係わる発明は、  部門別に使用量を計数する機能を備えた画像処理装置において、
部門別の使用量情報を格納する第１の不揮発メモリと、
前記第１の不揮発メモリよりアクセス速度の速い第２の不揮発メモリと、
前記第２の不揮発メモリは前記使用量情報の一部を格納し、
当該画像処理装置がジョブを実行しているときは前記第２の不揮発メモリ上で使用量情報を更新し、ジョブ実行中に更新する使用量情報を前記第１の不揮発メモリから前記第２の不揮発メモリにコピーする処理を当該画像処理装置がジョブを実行していないときに行なう使用量管理手段と
を有することを特徴とする画像処理装置である。
請求項５に係わる発明は、前記使用量管理手段が行う前記処理は、当該画像処理装置のジョブの実行に先立って行われる
ことを特徴とする請求項２ないし４のいずれか一項に記載の画像処理装置である。
【手続補正６】
【補正対象書類名】明細書
【補正対象項目名】００２０
【補正方法】変更
【補正の内容】
【００２０】
請求項６に係わる発明は、前記使用量管理手段（１１、３１）は、いずれかの部門の使用量情報にアクセスするとき、第２の不揮発メモリ（２３）上に該当する部門の使用量情報が存在するか否かを検査し、存在すればそれを使用し、存在しないときは第１の不揮発メモリ（２１）から該当する部門の使用量情報を第２の不揮発メモリ（２３）にコピーして使用する
ことを特徴とする請求項１ないし５のいずれか一項に記載の画像処理装置である。
【手続補正７】
【補正対象書類名】明細書
【補正対象項目名】００２２
【補正方法】変更
【補正の内容】
【００２２】
請求項７に係わる発明は、前記使用量管理手段（１１、３１）は、該当する部門の使用量情報を第１の不揮発メモリ（２１）からコピーするための空き領域が第２の不揮発メモリ（２３）に存在しないときは、第２の不揮発メモリ（２３）に格納されているものの中から予め定めた優先順位に従って一部の部門の使用量情報を選出してこれらを第１の不揮発メモリ（２１）に書き込み、この書き込み処理で第１の不揮発メモリ（２１）に格納した使用量情報が格納されていた第２の不揮発メモリ（２３）上の領域を使用可能領域にし、該当する部門の使用量情報を第１の不揮発メモリ（２１）からこの使用可能領域にコピーして使用する
ことを特徴とする請求項６に記載の画像処理装置である。
【手続補正８】
【補正対象書類名】明細書
【補正対象項目名】００２５
【補正方法】変更
【補正の内容】
【００２５】
請求項８に係わる発明は、前記使用量管理手段（１１、３１）は、第１の不揮発メモリ（２１）に書き込むべき使用量情報を更新日時の古い順に選出する
ことを特徴とする請求項７に記載の画像処理装置である。
【手続補正９】
【補正対象書類名】明細書
【補正対象項目名】００２７
【補正方法】変更
【補正の内容】
【００２７】
本発明に係わる画像処理装置によれば、部門別の使用量情報を第１の不揮発メモリに格納し、これよりアクセス速度の速い第２の不揮発メモリにその一部の使用量情報を格納するので、第２の不揮発メモリに必要な記憶容量を大幅に削減することができる。また、ジョブ実行中における使用量情報の更新を、アクセス速度の速い第２の不揮発メモリ上で行なうようにすれば、高速なアクセスが要求される場面での使用量情報の更新処理を高速に行なうことができる。